(57)【要約】【課題】  ポインティング・デバイスを用いた操作がしやすく、かつ、機械的な切替スイッチを直接的に操作しているかのような感覚を与えることができる、設定状態の切替操作表示装置を提供する。【解決手段】  ディスプレイ４に切替スイッチを表現する表示部品を表示させてポインティング・デバイス３の操作により設定情報の設定状態を切り替える。ポインティング・デバイス１は、表示画面上のポインタの位置を指定し、ボタン等の操作で設定状態の切替選択機能が実行される。信号処理設定部５は、ユーザによるポインティング・デバイス３の操作を検出し、信号処理装置２に対する設定情報の設定状態の切替を実行する。クリック操作、トグル操作、クリックアンドドラッグ操作の、いずれの操作にも応答して設定状態を切り替える。【選択図】図１
2005115744.tif 000002
【特許請求の範囲】
【請求項１】
切替スイッチを表現する表示部品をディスプレイに表示させてポインティング・デバイスの操作により設定情報の設定状態を切り替えるための、設定状態の切替操作表示装置であって、
前記切替スイッチを表現する表示部品のつまみ部の移動方向に沿って、第１の領域、第２の領域、および、該第１，第２の領域の中間となる第３の領域が設定されており、
前記ポインティング・デバイスによる、前記第１，第２の領域にポインタを合わせたクリック操作を検出して、前記設定情報を、それぞれ、第１，第２の設定状態にするクリック操作応答機能と、
前記ポインティング・デバイスによる前記第３の領域に前記ポインタを合わせたクリック操作を検出して、前記設定情報を現在の設定状態から他方の設定状態に切り替えるトグル操作応答機能、
を少なくとも実現する設定手段と、
該設定手段により、前記第１，第２の設定状態にされたときは、前記切替スイッチを表現する表示部品のつまみ部が、それぞれ、第１，第２の切替位置にある、第１，第２の画面を生成して出力するとともに、生成する前記第１の画面と前記第２の画面とを切り替える際は、前記切替スイッチを表現する表示部品のつまみ部が前記第１の切替位置と前記第２の切替位置の間にある、少なくとも１つの第３の画面を生成して出力する表示画面生成手段、
を有することを特徴とする設定状態の切替操作表示装置。
【請求項２】
切替スイッチを表現する表示部品をディスプレイに表示させてポインティング・デバイスの操作により設定情報の設定状態を切り替えるための、設定状態の切替操作表示装置であって、
前記切替スイッチを表現する表示部品のつまみ部の移動方向に沿って、第１の領域、第２の領域が、中間の領域を空けて設定されており、
前記ポインティング・デバイスによる、前記第１，第２の領域にポインタを合わせたクリック操作を検出して、前記設定情報を、それぞれ、第１，第２の設定状態にするクリック操作応答機能と、
前記ポインティング・デバイスによる前記切替スイッチを表現する表示部品のつまみ部に前記ポインタを合わせたクリック操作とドラッグ操作を検出して、前記ドラッグ操作の移動方向およびまたはドラッグ先の位置に対応して、前記設定情報を、前記第１の設定状態あるいは前記第２の設定状態にするクリックアンドドラッグ操作応答機能、
を少なくとも実現する設定手段と、
該設定手段により、前記第１，第２の設定状態にされたときは、前記切替スイッチを表現する表示部品のつまみ部が、それぞれ、第１，第２の切替位置にある、第１，第２の画面を生成して出力するとともに、生成する前記第１の画面と前記第２の画面とを切り替える際は、前記切替スイッチを表現する表示部品のつまみ部が前記第１の切替位置と前記第２の切替位置の間にある、少なくとも１つの第３の画面を生成して出力する表示画面生成手段、
を有することを特徴とする設定状態の切替操作表示装置。
【請求項３】
切替スイッチを表現する表示部品をディスプレイに表示させてポインティング・デバイスの操作により設定情報の設定状態を切り替えるための、設定状態の切替操作表示装置であって、
前記切替スイッチを表現する表示部品のつまみ部が移動する方向の中間に第３の領域が設定されており、
前記ポインティング・デバイスによる前記第３の領域に前記ポインタを合わせたクリック操作を検出して、前記設定情報を現在の設定状態から他方の設定状態に切り替えるトグル操作応答機能と、
前記ポインティング・デバイスによる前記切替スイッチを表現する表示部品のつまみ部に前記ポインタを合わせたクリック操作とドラッグ操作を検出して、前記ドラッグ操作の移動方向およびまたはドラッグ先の位置に対応して、前記設定情報を、前記第１の設定状態あるいは前記第２の設定状態にするクリックアンドドラッグ操作応答機能、
を少なくとも実現する設定手段と、
該設定手段により、前記第１，第２の設定状態にされたときは、前記切替スイッチを表現する表示部品のつまみ部が、それぞれ、第１，第２の切替位置にある、第１，第２の画面を生成して出力するとともに、生成する前記第１の画面と前記第２の画面とを切り替える際は、前記切替スイッチを表現する表示部品のつまみ部が前記第１の切替位置と前記第２の切替位置の間にある、少なくとも１つの第３の画面を過渡的に生成して出力する表示画面生成手段、
を有することを特徴とする設定状態の切替操作表示装置。
【発明の詳細な説明】
【技術分野】
【０００１】
本発明は、ディスプレイの画面上に仮想的な切替スイッチを表示させ、ポインティング・デバイスの操作により設定情報の設定状態を切り替えて、GUI（Graphical User Interface）として使用される設定状態の切替操作表示装置に関するものである。
【背景技術】
【０００２】
従来、オーディオ信号に残響を加えたり、周波数特性を調整したりするエフェクト装置が知られている。オーディオ・ミキシング装置に、エフェクト付加機能が内蔵される場合もある。
最近のミキシング装置では、オーディオ信号をディジタル化し、ディジタル信号処理によりミキシング処理およびエフェクト処理を行う。そのため、コンソールパネル上の操作子を用いるほかに、ディスプレイに操作子を表示させ、マウス等のポインティング・デバイスの操作でこの操作子を動かすことにより、種々の設定操作を行う。すなわち、GUI（Graphical User Interface）を用いた操作を行う。
【０００３】
上述したGUIを用いた操作は、オーディオ・ミキシング装置に接続されたパーソナルコンピュータの側で行う場合もある。また、パーソナルコンピュータに、オーディオ・ミキシングおよびエフェクトを付加するプログラムをインストールして行われる場合もある。
パーソナルコンピュータにおいては、また、演奏データの記録再生を行うシーケンサー・ソフトウェア・プログラムをインストールして、GUIを用いた操作でエフェクトを付加する場合もある。
上述したエフェクトを付加する場合、設定状態が択一的に選択される設定情報がある。例えば、あるエフェクトの機能の第１/第２の設定状態、特に、オン/オフ状態、といった設定情報がある。また、ある信号経路を第１/第２の経路に接続するといった設定情報もある。
【０００４】
このように設定情報の設定状態を択一的な選択を、GUIを用いて行うには、ディスプレイの画面に仮想的な切替スイッチを表示させ、これをポインティング・デバイスで操作すればよい。
機械的な切替スイッチの操作を単純に模倣するのであれば、切替スイッチのつまみ（ノブ，レバー）をつかむ操作の代わりに、つまみの位置にポインタを合わせてクリック操作をし、つまみを切替方向に倒す操作の代わりに、ドラッグ操作をするような設計にすればよい。
しかし、小さなつまみにはポインタを合わせにくいし、ドラッグ操作に時間もかかる。
また、つまみの切替位置は２カ所であるが、つまみの切替位置を画面に表示するだけでは、機械的な切替スイッチの持つスナップ・アクションの実感を伴わないという問題がある。
【発明の開示】
【発明が解決しようとする課題】
【０００５】
本発明は、上述した問題点を解決するためになされたもので、ポインティング・デバイスを用いた操作がしやすく、かつ、機械的な切替スイッチを直接的に操作しているかのようなリアルな感覚を与えることができる設定状態の切替操作表示装置を提供することを目的とするものである。
【課題を解決するための手段】
【０００６】
本発明は、請求項１に記載の発明においては、切替スイッチを表現する表示部品をディスプレイに表示させてポインティング・デバイスの操作により設定情報の設定状態を切り替えるための、設定状態の切替操作表示装置であって、前記切替スイッチを表現する表示部品のつまみ部の移動方向に沿って、第１の領域、第２の領域、および、該第１，第２の領域の中間となる第３の領域が設定されており、クリック操作応答機能とトグル操作応答機能を少なくとも実現する設定手段と、該設定手段により、前記第１，第２の設定状態にされたときは、前記切替スイッチを表現する表示部品のつまみ部が、それぞれ、第１，第２の切替位置にある、第１，第２の画面を生成して出力するとともに、生成する前記第１の画面と前記第２の画面とを切り替える際は、前記切替スイッチを表現する表示部品のつまみ部が前記第１の切替位置と前記第２の切替位置の間にある、少なくとも１つの第３の画面を生成して出力する表示画面生成手段を有するものである。
ここで、クリック操作応答機能とは、前記ポインティング・デバイスによる、前記第１，第２の領域にポインタを合わせたクリック操作を検出して、前記設定情報を、それぞれ、第１，第２の設定状態にする機能である。
トグル操作応答機能は、前記ポインティング・デバイスによる前記第３の領域に前記ポインタを合わせたクリック操作を検出して、前記設定情報を現在の設定状態から他方の設定状態に切り替える機能である。
従って、ユーザは、第１〜第３の領域にポインタを合わせてクリック操作をするだけで設定状態の切り替えができるので、操作しやすくなる。設定状態を反転させたいときには、現在の設定状態を意識することなく単に第３の領域にポインタを合わせてクリックすればよいから操作が特に簡単になる。
また、切替スイッチを表現する表示部品のつまみ部が切り替わる際に、過渡的に中間の状態を表示することにより、切替スイッチの動きをアニメーション表現することから、機械的な切り替えスイッチを操作しているかのような感覚を与えることができる。
【０００７】
請求項２に記載の発明においては、切替スイッチを表現する表示部品をディスプレイに表示させてポインティング・デバイスの操作により設定情報の設定状態を切り替えるための、設定状態の切替操作表示装置であって、前記切替スイッチを表現する表示部品のつまみ部の移動方向に沿って、第１の領域、第２の領域が、中間の領域を空けて設定されており、クリック操作応答機能とクリックアンドドラッグ操作応答機能を少なくとも実現する設定手段と、該設定手段により、前記第１，第２の設定状態にされたときは、前記切替スイッチを表現する表示部品のつまみ部が、それぞれ、第１，第２の切替位置にある、第１，第２の画面を生成して出力するとともに、生成する前記第１の画面と前記第２の画面とを切り替える際は、前記切替スイッチを表現する表示部品のつまみ部が前記第１の切替位置と前記第２の切替位置の間にある、少なくとも１つの第３の画面を生成して出力する表示画面生成手段を有するものである。
ここで、クリック操作応答機能は、上述した請求項１に記載の発明におけるクリック操作応答機能と同じものである。
また、クリックアンドドラッグ操作応答機能は、前記ポインティング・デバイスによる前記切替スイッチを表現する表示部品のつまみ部に前記ポインタを合わせたクリック操作とドラッグ操作を検出して、前記ドラッグ操作の移動方向およびまたはドラッグ先の位置に対応して、前記設定情報を、前記第１の設定状態あるいは前記第２の設定状態にする操作応答機能である。
従って、ユーザは、クリックアンドドラッグ操作により、機械的な切替スイッチを操作するのと同様のやり方で切り替えることに加えて、第１，第２の領域にポインタを合わせてクリック操作をすることによっても、設定状態の切替ができるので、操作がしやすくなる。
また、切替スイッチを表現する表示部品のつまみ部が切り替わる際に、過渡的に中間の状態を表示することにより、切替スイッチの動きをアニメーション表現することから、機械的な切替スイッチを操作しているかのような感覚を与えることができる。
【０００８】
請求項３に記載の発明においては、切替スイッチを表現する表示部品をディスプレイに表示させてポインティング・デバイスの操作により設定情報の設定状態を切り替えるための、設定状態の切替操作表示装置であって、前記切替スイッチを表現する表示部品のつまみ部が移動する方向の中間に第３の領域が設定されており、トグル操作応答機能とクリックアンドドラッグ操作応答機能を少なくとも実現する設定手段と、該設定手段により、前記第１，第２の設定状態にされたときは、前記切替スイッチを表現する表示部品のつまみ部が、それぞれ、第１，第２の切替位置にある、第１，第２の画面を生成して出力するとともに、生成する前記第１の画面と前記第２の画面とを切り替える際は、前記切替スイッチを表現する表示部品のつまみ部が前記第１の切替位置と前記第２の切替位置の間にある、少なくとも１つの第３の画面を過渡的に生成して出力する表示画面生成手段を有するものである。
ここで、トグル操作応答機能は、上述した請求項１に記載の発明におけるトグル操作応答機能と同じものである。また、クリックアンドドラッグ操作応答機能は、上述した請求項２に記載の発明におけるクリックアンドドラッグ操作応答機能と同じものである。
従って、ユーザは、クリックアンドドラッグ操作により、機械的な切替スイッチを操作するのと同様のやり方で切り替えることに加えて、第３の領域にポインタを合わせてクリック操作をすることによっても、設定状態の切替ができるので、操作がしやすくなる。設定状態を反転させたいときには、現在の設定状態を意識することなく単に第３の領域にポインタを合わせてクリックすればよいから操作が特に簡単になる。
また、切替スイッチを表現する表示部品のつまみ部が切り替わる際に、過渡的に中間の状態を表示することにより、切替スイッチの動きをアニメーション表現することから、機械的な切替スイッチを操作しているかのような感覚を与えることができる。
【０００９】
上述した各請求項に記載の発明は、各手段を処理ステップとするプログラムをコンピュータに実行させることによって実現することができる。
このプログラムは、単独の制御プログラムとして、あるいは、オペレーティングシステムのプログラムの制御下で実行されるアプリケーションプログラムとして提供される。
【発明の効果】
【００１０】
ディスプレイの画面上に表示される仮想的な切替スイッチを、ポインティング・デバイスで操作しやすいという効果がある。
また、仮想的な切替スイッチが物理的実体のリアルな切替動作を見せるので、リアルな操作感を伴う切替操作ができるという効果がある。
【発明を実施するための最良の形態】
【００１１】
図１は、本発明の実施の一形態を示す機能ブロック図である。
図中、設定状態の切替操作表示装置１は、CPUを内蔵し、制御プログラムで動作する専用の装置として、あるいは、アプリケーションプログラムがインストールされ、オペレーティングシステムの下で動作するパーソナルコンピュータにより実現される。
信号処理装置２は、例えば、オーディオ信号に対するエフェクタ、あるいは、エフェクタ機能を内蔵したオーディオ・ミキシング装置である。１または複数のチャンネルのオーディオ入力信号を入力し、必要に応じて入力信号のミキシングが行われ、１または複数の出力チャンネルのオーディオ信号として出力される。一般的には、指定された出力チャンネルのオーディオ信号にエフェクトの付加が行われて出力される。
【００１２】
ポインティング・デバイス３は、マウス，トラックボール，タブレット、その他、矢印ボタンなどのカーソル・キーなどである。ディスプレイ４の表示画面上の位置を指示するとともに、ボタンスイッチあるいはキーによる、クリック操作やクリック＆ドラッグ操作等に応じて、所定の機能を実行する。本明細書では、クリック操作やクリック＆ドラッグ操作をするためのボタンスイッチやキーを含めてポインティング・デバイス３という。
ポインティング・デバイス３の操作とディスプレイ４の画面とは、相互に関連づけられており、両者は、設定状態の切替操作表示装置１によって、ユーザと信号処理装置２との間のGUIとなる。
すなわち、ディスプレイ４に切替スイッチを表現する表示部品を表示させてポインティング・デバイス３の操作により設定情報の設定状態を切り替える。ポインティング・デバイス１は、表示画面上のポインタの位置を指定し、ボタン等の操作で設定状態の切替選択機能が実行される。
【００１３】
設定状態の切替操作表示装置１は、信号処理設定部５を有し、ユーザによるポインティング・デバイス３の操作を検出し、信号処理装置２に対する設定情報の設定状態の切替選択を実行する。図２を参照して後述するように、クリック操作、トグル操作、クリックアンドドラッグ操作の、いずれの操作にも応答して設定状態を切り替える。
なお、上述した３種類の操作のうち、２種類の操作に応答するものとしてもよい。クリック操作、クリック＆ドラッグ操作の操作方法自体は、パーソナルコンピュータにおいて一般に採用されている操作である。
【００１４】
表示画面生成部６は、ディスプレイ４に表示させる表示画面を生成する。画像合成（コンピュータグラフィックス）技術を用いて実現できる。
信号処理設定部５と表示画面生成部６とは、インターフェース７で相互接続され、GUIを実現する。例えば、信号処理設定部５からは、ポインティング・デバイス３の操作量（移動量）や、クリック用スイッチの操作を表示画面生成部６に転送し、表示画面生成部６では、表示画面上におけるポインタの位置を決定する。
表示画面生成部６からは、表示画面上における、ポインタ、切替スイッチ等を表現する表示部品の配置を信号処理設定部５に転送し、信号処理設定部５では、ポインタがどの表示部品の上に位置合わせされているかなどを検出して、設定状態を切り替える処理などを行う。
【００１５】
切替スイッチを表現する表示部品は、ある設定情報の設定状態を、機械的な切替スイッチを模擬して表現するグラフィック画像である。すなわち、仮想的な切替スイッチであり、ポインティング・デバイス３の操作により、機械的な切替スイッチを直接的に操作しているかのように見せるための表示部品である。
【００１６】
図２は、ディスプレイ４の画面上に表示される仮想的な切替スイッチの説明図である。
図中、２１は操作パネル（一部分）、２２は切替スイッチ、２２ａはそのつまみ（ノブ，レバー）である。２３は表示ランプ、２４は図１に示したポインティング・デバイス３により位置が決定されるポインタである。いずれもディスプレイ４の画面上に表示されるグラフィック画像（表示部品）である。
この切替スイッチ２２が模倣する機械的スイッチは、トグルスイッチである。つまみ（ノブ，レバー）を操作することによって、短時間で２つの安定位置の間を切り替わる。スナップ・スイッチ、シーソ・スイッチ、スライド・スイッチ等がある。その中でも、ストロークの大きく、スナップ・アクションが効いたスナップ・スイッチが特に適している。
【００１７】
図２（ａ）は操作入力領域の配置を示す説明図である。
図２（ｂ）は切替スイッチ２２がOFF状態にある（切替スイッチ２２が第２の切替位置にある。第２の設定状態に対応する）ときの第１の画面を示す図である。
図２（ｃ）は切替スイッチ２２が過渡的に中立状態にあるときの第３の画面を示す図である。つまみ２２ａは、真ん中の位置にある。
図２（ｄ）は切替スイッチ２２がON状態にある（切替スイッチ２２が第１の切替位置にある。第１の設定状態に対応する）ときの第２の画面を示す図である。
切替スイッチ２２は、図示の例では、オン・オフ機能に対応している。切替スイッチ２２が下側に倒れているときにOFFとなり、上側に倒れているときはONとなる。ONのとき、表示ランプ２３は点灯状態を表示する。また、切替スイッチ２２の倒れる方向によって、操作パネル２１に表示される影の表示を変えている。
【００１８】
２５は切替スイッチ２２をポインティング・デバイス３で操作するときの、操作パネル２１上に設定された操作入力領域である。２５Ａ，２５Ｂ、２５Ｃの３つの操作入力領域に区分されている。切替スイッチ２２のつまみ２２ａの領域は除く。
操作入力領域２５Ａは、ON側の入力領域であって、ON状態のときにつまみ２２ａが倒れる側である。
操作入力領域２５Ｃは、OFF側の入力領域であって、OFF状態のときにつまみ２２ａが倒れる側である。
操作入力領域２５Ｂは、両者の間に位置する操作入力領域である。
ポインタ２４が、つまみ２２ａの領域、操作入力領域２５Ａ，２５Ｂ、２５Ｃのいずれの位置にあるかが、信号処理設定部５によって検出される。すなわち、これらの領域は、クリック操作を有効する領域である。
操作入力領域２５Ａ〜２５Ｃは、つまみ２２ａよりも面積の大きな領域であるので、ポインタ２４を合わせるのが簡単である。
【００１９】
ユーザは、切替操作をしたいときに、切替スイッチ２２を３通りの操作方法のいずれによっても操作できる。各操作方法に対応して、信号処理状態設定部５は、３つの操作応答機能を実現する。
（１）クリック操作応答機能（絶対位置での直接操作に応答する）
つまみ２２ａがOFF側に倒れているとき、操作入力領域２５Ａにポインタ２４の位置を合わせて、ポインティング・デバイス３のスイッチ（マウスの左ボタン）をクリックすると、切替スイッチ２２はONとなる。
一方、つまみ２２ａがON側に倒れているとき、操作入力領域２５Ｃにポインタ２４の位置を合わせて、マウスのボタンをクリックすると、切替スイッチ２２はOFFとなる。
ON，OFFが切り替えられる際、表示画面生成部６は、図２（ｃ）に示されるような、つまみ２２ａの中立状態の画面を過渡的に作成してディスプレイ４に出力する。
【００２０】
（２）トグル操作応答機能
操作入力領域２５Ｂの領域にポインタ２４の位置を合わせて、マウスのボタンをクリックすれば、切替スイッチ２２はトグル動作する。
すなわち、切替スイッチ２２がOFF側に倒れているとき、一回目のクリックで図２（ｄ）に表示されるようにONとなり、２回目のクリックで図２（ｂ）に表示されるように再びOFFとなる。
ON，OFFが切り替えられる際、表示画面生成部６は、（１）で説明したクリック動作と同様に、図２（ｃ）に示されるような、つまみ２２ａの中立状態の画面を過渡的に作成してディスプレイ４に出力する。
このモードは、ポインティング・デバイス３の位置を動かすことなく、ボタン操作だけで、切替スイッチ２２のON、OFFの操作を行うことができる。
【００２１】
（３）クリック＆ドラッグ操作応答機能
つまみ２２ａが、OFF側に倒れているとき、つまみ２２ａの位置にポインタ２４の位置を合わせ、ポインティング・デバイス３のボタンを押し、押したままポインティング・デバイス３を動かす操作（クリック＆ドラッグ操作）をし、ON側の、例えば、操作入力領域２５Ａまでポインティング・デバイスを動かすと、つまみ２２ａは、図２（ｄ）に表示される切替位置に移動し、その後、ポインティング・デバイス３のボタンを離す（マウスアップ）と、切替スイッチ２２はONになる。
一方、つまみ２２ａがON側に倒れているとき、つまみ２２ａの位置にポインタ２４の位置を合わせ、上述したクリック＆ドラッグ操作をし、OFF側の、例えば、操作入力領域２５Ｃまでドラッグすると、つまみ２２ａは、図２（ｂ）に表示される切替位置に移動し、その後、ポインティング・デバイス３のボタンを離す（マウスアップ）と、切替スイッチ２２はOFFになる。
ON，OFFが切り替えられる際、表示画面生成部６は、上述した（１），（２）と同様に、図２（ｃ）に示されるような、つまみ２２ａの中立状態の画面を過渡的に作成してディスプレイ４に出力する。
【００２２】
なお、上述した説明では、ドラッグ先の位置に応じて、切替スイッチ２２のオン/オフを切り替えた。これに代えて、あるいは、これと同時に、ON方向，OFF方向のいずれの方向であるかに対応して、切替スイッチ２２のオン/オフを切り替えられるようにしてもよい。
例えば、つまみ２２ａが、図２（ｃ）に表示される中立状態に至ったときに、ポインティング・デバイス３のボタンを離す操作（ドラッグ終了、マウスアップ）が検出されたとき、移動方向を検出して切り替える。図２（ｂ）に表示されるOFF側から図２（ｃ）に表示される中立状態になったときはONに切り替える。図２（ｄ）に表示されるON側から図２（ｃ）に表示される中立状態になったときはOFFに切り替える。
上述したような、移動方向に対応したドラッグ操作に対応することにより、ドラッグ操作による切替を短時間で行うことができるようになる。
【００２３】
切替スイッチ２２をディスプレイの画面上に表示させるためには、最低限、図２（ｂ）と図２（ｄ）に示したグラフィック画像（表示部品）が必要である。しかし、２枚のグラフィック画像（表示部品）だけでは、表示画面の切替がなめらかでない。また、上述したように、クリック＆ドラッグ操作がやりにくい。
従って、図２（ｃ）に示した画面を補って、切替スイッチ２２に時間経過に従った動きのあるアニメーション表示をさせている。切り替わりの期間において表示させる画面を複数枚にしてもよい。間の画面は、それ自体がメモリに記憶された画面であるほか、他のタイミングの画面から補間処理によって一時的に作成される画面であってもよい。
【００２４】
図３は、本発明の実施の一形態の動作を説明するフローチャートである。
図２に示した切替スイッチ（以下では、トグルスイッチという）２２を制御するタスクを実行する。トグルスイッチ２２は、操作パネルに複数個あるものとし、各トグルスイッチを変数iで表している。
Ｓ３１において、ポインティング・デバイス３の操作イベントを検出すれば、次のステップに進む。
Ｓ３２において、i＝1とし、Ｓ３３において、トグルスイッチTGLSWiのON領域（図２（ａ）の操作入力領域２５Ａ）でクリックがあったか否かを判定し、そうであればＳ３４に処理を進める。
そうでなければ、Ｓ３５において、トグルスイッチTGLSWiのOFF領域（図２（ａ）の操作入力領域２５Ｃ）でクリックがあったか否かを判定し、そうであればＳ３６に処理を進め、そうでなければ、Ｓ３７に処理を進める。以上のステップは、図２を参照して説明した、（１）のクリック動作のための検出処理である。
【００２５】
Ｓ３７において、トグルスイッチTGLSWiのCENTER領域（図２（ａ）の操作入力領域２５Ｂ）でクリックがあったか否かを判定し、そうであれば、Ｓ３８に処理を進め、そうでなければＳ３９に処理を進める。
Ｓ３８において、トグルスイッチ２２の状態フラグSTATUSTGLSWiが0であるか否かを判定し、0（OFFであることを示す）であればＳ３４に処理を進め、1（ONであることを示す）であればＳ３６に処理を進める。以上のステップは、図２を参照して説明した、（２）のトグル動作のための検出処理である。
Ｓ３９において、トグルスイッチTGLSWiのつまみ２２ａをクリックし、ON側（図２（ａ）の操作入力領域２５Ａの側）へドラッグしたか否かを判定する。そうであれば、ON領域をクリックしたときと同様にＳ３４に処理を進める。
そうでなければ、Ｓ４０に処理を進め、トグルスイッチTGLSWiのつまみ２２ａをクリックし、OFF側（図２（ａ）の操作入力領域２５Ｃの側）へドラッグしたか否かを判定する。そうであれば、OFF領域をクリックしたときと同様にＳ３６に処理を進める。そうでなければ、Ｓ４１に処理を進める。以上のステップは、図２を参照して説明した、（３）のクリック＆ドラッグ動作のための検出処理である。
【００２６】
Ｓ３４において、トグルスイッチ２２の状態フラグSTATUSTGLSWiを1に設定し（ON状態を表す）、Ｓ４２において、トグルスイッチ２２がOFF状態からON状態に切り替わる動作をアニメーション表示させ（もともとトグルスイッチ２２がON状態であれば何もしない）、Ｓ４１に処理を進める。
Ｓ３６において、トグルスイッチ２２の状態フラグSTATUSTGLSWiを0に設定し（OFF状態を表す）、Ｓ４４において、トグルスイッチ２２がON状態からOFF状態に切り替わる動作をアニメーション表示させ（もともとトグルスイッチ２２がOFF状態であれば何もしない）、Ｓ４１に処理を進める。
Ｓ４１において、全てのトグルスイッチについて処理が完了したか否かを判定し、そうであれば、図示しないメインの処理に戻り、そうでなければ、Ｓ４３においてiの値を更新し、Ｓ３３に処理を戻し、次のトグルスイッチについて同様の処理をする。
【００２７】
図４は、本発明の実施の一形態を用いた表示画面の一具体例を示す図である。オーディオ・ミキシング装置の第１出力チャンネルのオーディオ信号に、エフェクト「コンプレッサ」を付加する場合の設定画面を示している。物理的な操作パネルを想起させる画面になっている。ポインタの表示は省略している。
５０は子ウィンドウ（ドキュメントウィンドウ）であって、ディスプレイに表示される親ウィンドウ（アプリケーションウィンドウ）の中のワークエリアに表示される。ワークエリアには、オーディオ・ミキシング装置の他の子ウィンドウも表示される。
【００２８】
５１はコンプレッサの設定パネルである。
５１ａ，５１ｂは、第１，第２のトグルスイッチ（切替スイッチ）である。第１のトグルスイッチ５１ａは、オート・メーク・アップ機能のオン・オフ状態を切替選択する。第２のトグルスイッチ５１ｂは、サイド・チェイン・ハイパスフィルタ機能のオン・オフを切り替える。
その他にも操作子がある。５１ｃはコンプレッサへの入力レベル設定操作子、５１ｄはコンプレッサからの出力レベル設定操作子、５１ｅは圧縮比設定操作子、５１ｆはアタックタイム設定操作子、５１ｇはリリースタイム設定操作子である。これらの回転ボリューム型の操作子によるパラメータの設定値は、各操作子のつまみの回転角、および、操作子の下に設けられた数値表示部によって表示される。
５２は、コンプレッサ効果が付加された信号の状態を示す表示パネルである。
５２ａ，５２ｂは、VUメータである。コンプレッサによりオーディオ信号の振幅が制限される状態をモニターする。ステレオの左右２チャンネル用に２個のメータが用意されている。５２ｃはVUメータのレンジ選択ボタン群である。
【００２９】
上述した説明では、信号処理設定部５が少なくとも２種類の操作に応答する機能を有することを前提に、表示画面生成部６が、図２（ｃ）に示した第３の画面を作成してアニメーション表示をしていた。しかし、アニメーション表示は、信号処理設定部５が、１種類の操作にしか応答しない場合でも、あるいは、上述した以外の操作に応答する場合でも、採用することができる。
また、第３の画面の作成を省略しても、信号処理設定部５により設定される第１の状態、第２の状態に対応した切替スイッチ２２の表示ができる。
【００３０】
上述した説明では、設定状態の切替操作表示装置を、エフェクタ、および、このエフェクタを備えたオーディオ・ミキシング装置に適用した例について説明した。しかし、ポインティング・デバイスを用いて、オーディオ信号の信号処理など、用途に従って様々な設定情報の設定状態を切り替える際に、その設定状態の切替操作を表示する装置に適用することができる。
【図面の簡単な説明】
【００３１】
【図１】本発明の実施の一形態を示す機能ブロック図である。
【図２】ディスプレイの画面上に表示される仮想的な切替スイッチの説明図である。
【図３】本発明の実施の一形態の動作を説明するフローチャートである。
【図４】本発明の実施の一形態を用いた表示画面の一具体例を示す図である。
【符号の説明】
【００３２】
１…設定状態切替操作表示装置、２…信号処理装置、３…ポインティング・デバイス、４…ディスプレイ、５…信号処理設定部、６…表示画面生成部、７…インターフェース、２１…操作パネル（一部分）、２２…切替スイッチ、２２ａ…つまみ、２３…ランプ、２４…ポインタ、２５Ａ〜２５Ｃ…操作入力領域Ａ〜Ｃ
【図１】
2005115744.tif 000003
【図２】
2005115744.tif 000004
【図３】
2005115744.tif 000005
【図４】
2005115744.tif 000006